【手続補正書】
【提出日】平成23年8月24日(2011.8.24)
【手続補正１】
【補正対象書類名】特許請求の範囲
【補正対象項目名】全文
【補正方法】変更
【補正の内容】
【特許請求の範囲】
【請求項１】
電子ペンと、この電子ペン及び指によるタッチ操作が行われるタッチ面を備えたタッチパネル体と、前記タッチ面に対する導電体の接近または接触に応じた静電容量の変化からタッチ位置を検出する位置検出装置と、前記タッチ面を表示画面として所要の画像を表示する表示装置と、前記位置検出装置から取得した位置検出情報及び前記電子ペンの属性に応じた画像を前記表示装置に表示させる制御装置と、を備えた電子ペンシステムであって、
前記電子ペンは、所定のペン情報を前記制御装置に送信するペン情報送信手段と、互いに電気的に遮断された状態で設けられたペン先部と把持部との電気的接続を断続する接続スイッチと、前記タッチ面に対するタッチ状態を検出するタッチ状態検出手段と、を備え、前記タッチ状態検出手段がタッチ状態を検出するのに応じて前記ペン情報送信手段から前記制御装置にペン情報を送信し、その後、前記接続スイッチをオンとしてペン入力可能状態となるようにし、
前記制御装置は、前記位置検出装置から位置検出情報を受信した際に、その位置検出情報が前記電子ペン及び指のいずれによるものかを判別する指示物判別手段を備え、この指示物判別手段は、前記電子ペンからのペン情報を受信した後に前記位置検出装置からの位置検出情報を受信した場合には、その位置検出情報を前記電子ペンによるものと判断し、一方、前記電子ペンからのペン情報を受信することなく前記位置検出装置からの位置検出情報を受信した場合には、その位置検出情報を指によるものと判断することを特徴とする電子ペンシステム。
【請求項２】
前記電子ペンは、前記接続スイッチである電子スイッチをオンオフ制御するスイッチ制御手段を備え、このスイッチ制御手段は、前記タッチ状態検出手段によりタッチ状態が検出されてから所定時間経過した後に、前記電子スイッチをオンとすることを特徴とする請求項１に記載の電子ペンシステム。
【請求項３】
前記電子ペンは、前記接続スイッチである電子スイッチをオンオフ制御するスイッチ制御手段を備え、このスイッチ制御手段は、前記タッチ状態検出手段により検出される非タッチ状態が所定時間継続したところで、前記電子スイッチをオフとすることを特徴とする請求項１若しくは請求項２に記載の電子ペンシステム。
【請求項４】
前記タッチ状態検出手段となる第１のメカニカルスイッチと、前記接続スイッチとなる第２のメカニカルスイッチと、タッチ操作時の前記ペン先部の変位に連動して前記第１・第２のメカニカルスイッチをオンオフ操作するスイッチ操作機構とを備え、前記スイッチ操作機構は、前記ペン先部をタッチ面に押し当てるのに応じたペン先部の後退変位に連動して、先に前記第１のメカニカルスイッチをオンとし、ついで前記第２のメカニカルスイッチをオンとすることを特徴とする請求項１に記載の電子ペンシステム。
【請求項５】
前記接続スイッチとなるメカニカルスイッチを、ユーザの操作により常時オンとする操作手段を備えたことを特徴とする請求項１に記載の電子ペンシステム。
【請求項６】
前記電子ペンは、前記タッチ状態検出手段として、前記ペン先部をタッチ面に押し当てるのに応じた前記ペン先部の変位量を検出する変位量検出手段を備え、この変位量検出手段により検出されたペン先の変位量が付加されたペン情報を前記制御装置に送信し、
前記制御装置は、前記電子ペンからのペン情報を受信することで取得したペン先部の変位量に応じた所定の処理を行うことを特徴とする請求項１に記載の電子ペンシステム。
【請求項７】
前記電子ペンは、前記タッチ状態検出手段による検出結果がタッチ状態から非タッチ状態となった後に、その非タッチ状態が所定時間継続する前に、再度タッチ状態となった場合には、ペン情報を送信せず、
前記制御装置は、連続したタッチ操作による一連の位置検出情報が消失するストローク入力の終点を検出した後に、新たなストローク入力の始点を検出すると、その２つのストローク入力が所定の近接条件を満足する場合に、新たなストローク入力をその近接するストローク入力と同じ指示物によるものと判断することを特徴とする請求項１乃至請求項６のいずれかに記載の電子ペンシステム。
【請求項８】
前記制御装置は、連続したタッチ操作による一連の位置検出情報が消失するストローク入力の終点を検出した後に、新たなストローク入力の始点を検出すると、その２つのストローク入力が所定の近接条件を満足する場合に、新たなストローク入力をその近接するストローク入力と同じ指示物によるものと判断し、近接条件を満足する以前のストローク入力が存在しない場合は、ユーザに指示物を指定させる確認画面を前記表示装置に表示させることを特徴とする請求項１乃至請求項６のいずれかに記載の電子ペンシステム。
【請求項９】
前記近接条件は、ストローク入力の終点を検出してから新たなストローク入力の始点を検出するまでの経過時間、及びストローク入力の終点と新たなストローク入力の始点との離間距離のいずれか一方あるいは双方について設定されることを特徴とする請求項７若しくは請求項８に記載の電子ペンシステム。
【請求項１０】
前記電子ペンは、前記タッチ状態検出手段による検出結果がタッチ状態から非タッチ状態となるのに応じて、非タッチ状態を示すペン情報を前記制御装置に送信し、
前記制御装置は、ストローク入力の終点を検出するのと略同時に、前記電子ペンからの非タッチ状態を示すペン情報を受信した場合には、そのストローク入力を電子ペンによるものと判断し、一方、ストローク入力の終点を検出するのと略同時に、前記電子ペンからのペン情報を受信することができなかった場合には、そのストローク入力を指によるものと判断することを特徴とする請求項１乃至請求項９のいずれかに記載の電子ペンシステム。
【請求項１１】
電子ペン及び指によるタッチ操作が行われるタッチ面を表示画面とし、前記タッチ面に対する導電体の接近または接触に応じた静電容量の変化から検出されるタッチ位置及び前記電子ペンの属性に応じた画像を前記表示画面に表示させるよう制御する制御装置であって、
前記電子ペンから所定のペン情報を受信した後にタッチ位置を受信した場合には、タッチ操作が前記電子ペンによるものと判断し、一方、前記電子ペンからペン情報を受信することなくタッチ位置を受信した場合には、タッチ操作が指によるものと判断することを特徴とする制御装置。
【請求項１２】
電子ペン及び指によるタッチ操作が行われるタッチ面を表示画面とし、前記タッチ面に対する導電体の接近または接触に応じた静電容量の変化から検出されるタッチ位置及び前記電子ペンの属性に応じた画像を前記表示画面に表示させるよう制御する制御装置に、所定のペン情報を送信する電子ペンであって、
互いに電気的に遮断された状態で設けられたペン先部と把持部との電気的接続を断続する接続スイッチと、前記タッチ面に対する当該電子ペンのタッチ状態を検出するタッチ状態検出手段とを備え、
前記タッチ状態検出手段がタッチ状態を検出するのに応じて前記制御装置にペン情報を送信し、その後、前記接続スイッチをオンとして前記ペン先部と前記把持部とを電気的に接続することによりタッチ位置を検出可能とすることを特徴とする電子ペン。
【請求項１３】
前記タッチ状態検出手段により検出される非タッチ状態が所定時間継続したところで、前記接続スイッチをオフとして前記ペン先部と前記把持部とを電気的に切断することを特徴とする請求項１２に記載の電子ペン。
【請求項１４】
前記タッチ状態検出手段となる第１のメカニカルスイッチと、前記接続スイッチとなる第２のメカニカルスイッチとを備え、
前記ペン先部をタッチ面に押し当てるのに応じたペン先部の後退変位に連動して、先に前記第１のメカニカルスイッチをオンとし、ついで前記接続スイッチをオンとすることを特徴とする請求項１２若しくは請求項１３に記載の電子ペン。
【手続補正２】
【補正対象書類名】明細書
【補正対象項目名】０００９
【補正方法】変更
【補正の内容】
【０００９】
一方、前記特許文献３・４に開示された従来の技術では、ペンツール自体の利便性を高めることができるものの、タッチ操作を行った指示物がペンツールと指とのいずれであるかを判別することができない。
【手続補正３】
【補正対象書類名】明細書
【補正対象項目名】００２２
【補正方法】変更
【補正の内容】
【００２２】
前記課題を解決するためになされた第４の発明は、前記第１の発明において、前記タッチ状態検出手段となる第１のメカニカルスイッチと、前記接続スイッチとなる第２のメカニカルスイッチと、タッチ操作時の前記ペン先部の変位に連動して前記第１・第２のメカニカルスイッチをオンオフ操作するスイッチ操作機構とを備え、前記スイッチ操作機構は、前記ペン先部をタッチ面に押し当てるのに応じたペン先部の後退変位に連動して、先に前記第１のメカニカルスイッチをオンとし、ついで前記第２のメカニカルスイッチをオンとする構成とする。
【手続補正４】
【補正対象書類名】明細書
【補正対象項目名】００３５
【補正方法】変更
【補正の内容】
【００３５】
これによると、ストローク入力の始点のタイミングが同時で、ストローク入力の始点で電子ペンから制御装置に送信されるペン情報のみでは各ストローク入力が電子ペンと指とのいずれによるかを判別することができない場合でも、各ストローク入力がいずれによるかを判別することができる。
前記課題を解決するためになされた第１１の発明は、電子ペン及び指によるタッチ操作が行われるタッチ面を表示画面とし、前記タッチ面に対する導電体の接近または接触に応じた静電容量の変化から検出されるタッチ位置及び前記電子ペンの属性に応じた画像を前記表示画面に表示させるよう制御する制御装置であって、前記電子ペンから所定のペン情報を受信した後にタッチ位置を受信した場合には、タッチ操作が前記電子ペンによるものと判断し、一方、前記電子ペンからペン情報を受信することなくタッチ位置を受信した場合には、タッチ操作が指によるものと判断する構成とする。
これによると、タッチ操作を行った指示物が電子ペンと指とのいずれであるかを間違いなく判別することができる。
前記課題を解決するためになされた第１２の発明は、電子ペン及び指によるタッチ操作が行われるタッチ面を表示画面とし、前記タッチ面に対する導電体の接近または接触に応じた静電容量の変化から検出されるタッチ位置及び前記電子ペンの属性に応じた画像を前記表示画面に表示させるよう制御する制御装置に、所定のペン情報を送信する電子ペンであって、互いに電気的に遮断された状態で設けられたペン先部と把持部との電気的接続を断続する接続スイッチと、前記タッチ面に対する当該電子ペンのタッチ状態を検出するタッチ状態検出手段とを備え、前記タッチ状態検出手段がタッチ状態を検出するのに応じて前記制御装置にペン情報を送信し、その後、前記接続スイッチをオンとして前記ペン先部と前記把持部とを電気的に接続することによりタッチ位置を検出可能とする構成とする。
これによると、タッチ操作を行った指示物が電子ペンと指とのいずれであるかを、制御装置に間違いなく判別させることができる。
前記課題を解決するためになされた第１３の発明は、前記第１２の発明において、前記タッチ状態検出手段により検出される非タッチ状態が所定時間継続したところで、前記接続スイッチをオフとして前記ペン先部と前記把持部とを電気的に切断する構成とする。
これによると、ユーザがタッチ操作を行うのに応じてペン情報の送信及び接続スイッチ２５のオン操作が頻繁に繰り返されることを避けることができる。
前記課題を解決するためになされた第１４の発明は、前記第１２の発明において、前記タッチ状態検出手段となる第１のメカニカルスイッチと、前記接続スイッチとなる第２のメカニカルスイッチとを備え、前記ペン先部をタッチ面に押し当てるのに応じたペン先部の後退変位に連動して、先に前記第１のメカニカルスイッチをオンとし、ついで前記接続スイッチをオンとする構成とする。
これによると、機械的に構成されるため、電池の消耗を抑えることができる。